【手続補正書】
【提出日】平成20年11月13日(2008.11.13)
【手続補正１】
【補正対象書類名】明細書
【補正対象項目名】０００５
【補正方法】変更
【補正の内容】
【０００５】
【特許文献１】特開２００４−２９７２３８号公報
【特許文献２】特開２００３−２０９８６３号公報
【特許文献３】特開２００３−３３９０６４号公報
【特許文献４】米国特許出願公開第２００３/０１９８２２７号明細書            〔発明の開示〕                                                              〔発明が解決しようとする課題〕
【手続補正２】
【補正対象書類名】明細書
【補正対象項目名】００１３
【補正方法】変更
【補正の内容】
【００１３】
なお、光受信器４４は伝送路の波長多重で使用されるＭ波の任意の１波を受信できる。これは、光受信器４４の波長に対するダイナミックレンジが広いためである。光スイッチに光信号を送信する波長可変光送信器４３は、監視制御部１００の波長制御部１０９の制御により、任意の波長を送信する。
【手続補正３】
【補正対象書類名】明細書
【補正対象項目名】００１５
【補正方法】変更
【補正の内容】
【００１５】
また、光受信器５２は伝送路の波長多重で使用されるＭ波の任意の１波を受信できる。これは、光受信器４４の波長に対するダイナミックレンジが広いためである。光スイッチに光信号を送信する波長可変光送信器５１は、監視制御部１００の波長制御部１０９の制御により任意の波長を送信する。
【手続補正４】
【補正対象書類名】明細書
【補正対象項目名】００１６
【補正方法】変更
【補正の内容】
【００１６】
図４に示す監視制御部１００は、ＣＰＵ１０１と、装置構成や光スイッチの全入出力ポートと接続される構成要素を管理する構成・結線管理情報ＤＢ１０２と、現用パスと予備パスの経路と使用波長を管理する経路・波長管理情報ＤＢ１０４と、装置警報と通信警報を管理する警報管理情報ＤＢ１０５と、波長可変トランスポンダ４０および波長可変中継器５０と主信号に制御信号を抽出・転送するインチャネル制御信号抽出・転送部１０８と、波長可変トランスポンダ４０−１〜４０−Ｋおよび、波長可変中継器５０の設定波長を指定する波長制御部１０９と、光スイッチ１０に対してクロスコネクト設定を行うとともに設定の状態を監視する光スイッチ監視制御部１１０と、光スイッチ監視制御部１１０で監視したクロスコネクトの設定情報を格納する光スイッチクロスコネクト設定情報ＤＢ１０６と、波長制御部１０９で指定した波長を管理する波長管理情報ＤＢ１０７と、ネットワーク管理装置２００との通信が可能なインタフェースをもつ外部装置インタフェース１０３とから構成される。
【手続補正５】
【補正対象書類名】明細書
【補正対象項目名】００１７
【補正方法】変更
【補正の内容】
【００１７】
図５に示すネットワーク管理装置２００は、ＣＰＵ２０１と、光クロスコネクト装置１１の監視制御部１００との通信用インタフェースをもつ外部装置インタフェース２０２と、光クロスコネト装置１１のネットワークトポロジーを管理するトポロジー管理情報ＤＢ２１０と、複数の光クロスコネクト装置１１の構成・結線管理情報ＤＢ１０２を収集して管理する構成・結線管理情報ＤＢ２０９と、複数の光クロスコネクト装置１１の警報管理情報ＤＢ１０５を収集して管理する警報管理情報ＤＢ２０７と、複数の光クロスコネクト装置１１の光スイッチクロスコネクト設定情報ＤＢ１０６を収集して管理する光スイッチクロスコネクト設定情報ＤＢ２０４と、複数の光クロスコネクト装置１１の波長管理情報ＤＢ１０７を収集して管理する波長管理情報ＤＢ２０５と、パスの始点ノードと終点のノードの情報と、このパスの経路・波長に関与する光スイッチクロスコネクト設定情報ＤＢ２０４の情報と波長管理情報ＤＢ２０５の情報を管理するパス管理情報ＤＢ２０８と、トポロジー管理情報ＤＢ２１０と、構成・結線管理情報ＤＢ２０９と警報管理情報ＤＢ２０７とパス管理情報とに基づいて、現用パス、予備パスの経路や使用波長を計算する経路・波長計算部２０６と、経路・波長計算部２０６の計算結果を格納する経路・波長管理情報ＤＢ２０３とから構成される。
【手続補正６】
【補正対象書類名】明細書
【補正対象項目名】００２０
【補正方法】変更
【補正の内容】
【００２０】
図９において、予備パスの固定的なクロスコネクト設定は、太破線で示す。一方、複数の予備パスで共有する設定は、細破線で示す。図９から明らかなように、波長可変中継器５０の受信側の光スイッチ１０のクロスコネクトは固定、送信側の光スイッチ１０のクロスコネクトは共用である。また、波長可変中継器５０の送信波長は、複数の予備パス間で異なる。このように、波長可変中継器５０の受信側の光スイッチ１０のクロスコネクトは固定としたので、インチャネル制御信号が受信できる訳である。
（予備パスの事前健全性確認）
予備パスの事前健全性確認方法を図９ないし図１２を用いて説明する。ここで、図１０は、予備パス事前健全性確認動作を説明するシーケンス図である。図１１は、各ノードの経路・波長管理情報ＤＢに格納されているパステーブルである。図１２は、予備パス事前健全性確認の時間割当てを説明する図である。なお、パス＃１に関してノード＃２を起点ノード、ノード＃４を終点のノード、ノード＃３を中継ノードと呼ぶことにする。
【手続補正７】
【補正対象書類名】明細書
【補正対象項目名】００２１
【補正方法】変更
【補正の内容】
【００２１】
図１０において、起点ノード（ノード＃２）は、ネットワーク監視装置２００からの健全性確認要求（図１２を用いて追って詳述する）の受信（Ｓ６−１）を契機に、次の発出先のファイバと波長を情報テーブル（図１１（ａ）Ｔ２−１）の出力欄より求める（Ｓ６−２）。起点ノードの監視制御部１００は、波長可変中継器５０の波長にテーブルの値（λ２）を設定し（Ｓ６−３、図９Ｃ２−１１）、光スイッチ１０のクロスコネクト設定にテーブルの値（図１１（ａ）リンク＃２−３、λ２）を設定する（Ｓ６−４、図９ＸＣ２−２１）。監視制御部１００は、波長可変中継器５０のオーバヘッド処理部４５を制御して、中継ノード（ノード＃３）に向け「確認メッセージ（インチャネル制御信号）」を発出する（Ｓ６−５）。監視制御部１００は、ここで、クロスコネクト設定（ＸＣ２−２１）を解放し（Ｓ６−６）、波長設定を解放する（Ｓ６−７、Ｃ２−１１）。
【手続補正８】
【補正対象書類名】明細書
【補正対象項目名】００２７
【補正方法】変更
【補正の内容】
【００２７】
中継ノード（ノード＃３）では、「通知メッセージ」を受信した（Ｓ６−５１）後、次の転送先を情報テーブル（Ｔ３−１）の出力欄より求める（Ｓ６−５２）。監視制御部１００は、波長可変中継器５０の波長にテーブルの値（λ３）を設定し（Ｓ６−５３、Ｃ３−１１）、光スイッチ１０のクロスコネクト設定にテーブルの値（リンク＃３−４、λ３）を設定し（Ｓ６−５４、ＸＣ３−２１）、終点ノード（ノード＃４）に向け「通知メッセージ」を転送する（Ｓ６−５５）。監視制御部１００は、クロスコネクト設定（ＸＣ３−２１）を解放し（Ｓ６−５６）、波長設定を解放する（Ｓ６−５７、Ｃ３−１１）。
【手続補正９】
【補正対象書類名】明細書
【補正対象項目名】００２８
【補正方法】変更
【補正の内容】
【００２８】
終点ノード（ノード＃４）は、「通知メッセージ」を中継ノード（ノード＃３）経由で受信し（Ｓ６−６１）、予備パスの健全性の情報を得る。
【手続補正１０】
【補正対象書類名】明細書
【補正対象項目名】００２９
【補正方法】変更
【補正の内容】
【００２９】
予備パスの事前健全性確認の要求はネットワーク監視装置により発行される。予備パスの事前健全性確認の要求の発行のタイミングは、図１２に示すような時間割当により行われる。想定するネットワークの障害で、現用パスの部分的な救済に使用される予備パス本数を最大でＮ、予備パスの確認周期をＴ秒とすると、１本の予備パスに割り当てる時間はＴ／Ｎとなる。なお、Ｔ／Ｎの値は、図１０に示すＳＴＡＲＴからＥＮＤまでに要する時間以上となるように、ＴとＮの値を選ぶ。時間割当てを行う理由は、複数の予備パスの事前健全性が同じタイミングで開始された場合に起こりうる波長変換中継器の競合を避けるためである。
（リストレーション）
図８に示す光パス＃１のリストレーションを図１３ないし図１７を用いて説明する。ここで、図１３は、リストレーション動作を説明するシーケンス図である。図１４および図１６は、光クロスコネクト装置の動作を説明するブロック図である。図１５は、各ノードの経路・波長管理情報ＤＢ１０４に格納されているパステーブル（帯域確保）である。図１６は、光クロスコネクト装置の動作を説明する図である。図１７は、各ノードの経路・波長管理情報に格納されているパステーブル（交換）である。
【手続補正１１】
【補正対象書類名】明細書
【補正対象項目名】００３０
【補正方法】変更
【補正の内容】
【００３０】
図１３において、終点ノード（ノード＃４）は、波長可変トランスポンダ４０の障害検知（Ｓ８−１）を契機に、監視制御部１００が、発出先となる予備パスの出力ファイバとその波長チャネルを情報テーブル（図１５（ｃ）Ｔ４−１）の出力欄より求める（Ｓ８−２）。監視制御部１００は、波長可変中継器５０の波長にテーブルの値（λ３）を設定し（Ｓ８−３、図１４のＣ４−２１）、光スイッチ１０のクロスコネクト設定にテーブルの値（リンク＃３−４、λ３）を設定し（Ｓ８−４、ＸＣ４−２１）、中継ノード（ノード＃３）に向け「帯域確保要求（インチャネル制御信号）」を発出する（Ｓ８−５）。
【手続補正１２】
【補正対象書類名】明細書
【補正対象項目名】００３１
【補正方法】変更
【補正の内容】
【００３１】
中継ノード（ノード＃３）は、「帯域確保要求」を受信する（Ｓ８−１１）。監視制御部１００は転送先を情報テーブル（図１５（ｂ）Ｔ３−２）の出力欄より求める（Ｓ８−１２）。監視制御部１００は、波長可変中継器５０の波長にテーブルの値（λ２）を設定し（Ｓ８−１３、Ｃ３−２１）、光スイッチ１０のクロスコネクト設定にテーブルの値（リンク＃２−３、λ２）を設定し（Ｓ８−１４、ＸＣ３−１１）、起点ノード（ノード＃２）に向け「帯域確保要求」を転送する（Ｓ８−１５）。
【手続補正１３】
【補正対象書類名】明細書
【補正対象項目名】００３２
【補正方法】変更
【補正の内容】
【００３２】
起点ノード（ノード＃２）は、「帯域確保要求」を受信する（Ｓ８−２１）。監視制御部１００は、転送先を情報テーブル（図１５（ａ）Ｔ２−１）の出力欄より求めると（Ｓ８−２２）、波長可変中継器５０の波長にテーブルの値（λ２）を設定し（Ｓ８−２３、図１４Ｃ２−１１）、光スイッチ１０のクロスコネクト設定にテーブルの値（リンク＃２−３、λ２）を設定し（Ｓ８−２４、ＸＣ２−２１）、中継ノード（ノード＃３）に向け「帯域確保要求」を転送する（Ｓ８−２５）。中継ノード（ノード＃３）では、「帯域確保要求」を受信する（Ｓ８−３１）。監視制御部１００は、転送先を情報テーブル（Ｔ３−１）の出力欄より求める（Ｓ８−３２）。監視制御部１００は、波長可変中継器５０の波長にテーブルの値（λ３）を設定し（Ｓ８−３３、Ｃ３−１１）、光スイッチ１０のクロスコネクト設定にテーブルの値（リンク＃２−３、λ２）を設定し（Ｓ８−３４、ＸＣ３−２１）、終点ノード（ノード＃４）に向け「帯域確保要求」を転送する（Ｓ８−３５）。
【手続補正１４】
【補正対象書類名】明細書
【補正対象項目名】００３３
【補正方法】変更
【補正の内容】
【００３３】
終点ノード（ノード＃４）は、「帯域確保要求」を受信する（Ｓ８−４１）。監視制御部１００は、帯域を確保した予備パスを現用パスの障害部分と交換するため、「交換要求（インチャネル制御信号）」を発出する（Ｓ８−４２）。中継ノード（ノード＃３）は「交換要求」を受信すると起点ノード（ノード＃２）に転送する（Ｓ８−５１）。
【手続補正１５】
【補正対象書類名】明細書
【補正対象項目名】００３４
【補正方法】変更
【補正の内容】
【００３４】
起点ノード（ノード＃２）は、「交換要求」を受信すると（Ｓ８−６１）「交換要求」を転送し（Ｓ８−６２）、リンク＃２−４故障時の経路テーブルを交換テーブル（Ｔ２−１１）の故障欄より求めると（Ｓ８−６３）、波長可変中継器５０と波長可変トランスポンダ４０の波長を交換して前者はλ１に後者はλ２とし（Ｓ８−６４）、波長可変中継器５０と波長可変トランスポンダ４０の接続先のファイバと波長チャネルを交換して前者をリンク＃２−４のλ１チャネル、後者をリンク＃２−３のλ２チャネルとする（Ｓ８−６５）。中継ノード（ノード＃３）は「交換要求」を受信すると終点ノード（ノード＃４）に転送する（Ｓ８−７１）。
【手続補正１６】
【補正対象書類名】明細書
【補正対象項目名】００３５
【補正方法】変更
【補正の内容】
【００３５】
終点ノード（ノード＃４）は、「交換要求」を受信すると（Ｓ８−８１）、リンク＃２−４故障時の経路テーブルを交換テーブル（Ｔ４−１１）の故障欄より求め（Ｓ８−８２）、波長可変中継器５０と波長可変トランスポンダ４０の波長を交換して前者はλ１に後者はλ３とし（Ｓ８−８３）、波長可変中継器５０と波長可変トランスポンダ４０の接続先のファイバと波長チャネルを交換して前者をリンク＃２−４のλ１チャネル、後者をリンク＃３−４のλ３チャネルとし（Ｓ８−８４）、ネットワーク監視装置に終了を通知して（Ｓ８−８５）シーケンスを終了する。
【手続補正１７】
【補正対象書類名】明細書
【補正対象項目名】００３８
【補正方法】変更
【補正の内容】
【００３８】
なお、現用パスの障害箇所の復旧監視は、波長可変中継器の出力波長および接続のリンク先を交換しているので、予備パスの健全性確認と同様に実施することができる。
（切り戻し）
切戻し方法を図１８と図１７、図１５を用いて説明する。ここで、図１８は、切り戻し動作を説明するシーケンス図である。
図１８において、終点ノード（ノード＃４）では、波長可変中継器５０でリンク＃２−４の障害回復を検知する（Ｓ１０−１）。監視制御部１００は、切戻しを行うため、起点ノード（ノード＃２）に向けて「切戻し要求（インチャネル制御信号）」を発出する（Ｓ１０−２）。起点ノード（ノード＃２）は、波長可変中継器５０で「切戻し要求」を受信すると（Ｓ１０−２１）終点ノード（ノード＃４）に向けて「切戻し要求」転送する（Ｓ１０−２２）。次に、監視制御部１００は、リンク＃２−４の正常時にあるべき接続を図１７のパステーブル（交換）（Ｔ２−１１）より求め（Ｓ１０−２３）、現在設定されている波長可変中継器５０と波長可変トランスポンダ４０の波長を交換して元に戻す。具体的には、前者はλ２に後者はλ１とし（Ｓ１０−２４）、監視制御部１００は、波長可変中継器５０と波長可変トランスポンダ４０の接続先のファイバとその波長チャネルを交換して元に戻し前者をリンク＃２−３のλ２チャネル、後者をリンク＃２−４のλ１チャネルとする（Ｓ１０−２５）。
【手続補正１８】
【補正対象書類名】明細書
【補正対象項目名】００３９
【補正方法】変更
【補正の内容】
【００３９】
終点ノード（ノード＃４）は、「切戻し要求」を受信する（Ｓ１０−４１）。監視制御部１００は、リンク＃２−４の正常時にあるべき接続を図１７のパステーブル（交換）（Ｔ４−１１）より求めると（Ｓ１０−４２）、現在設定されている波長可変中継器５０と波長可変トランスポンダ４０の波長を交換して元に戻し前者はλ３に後者はλ１とし（Ｓ１０−４３）、波長可変中継器５０と波長可変トランスポンダ４０の接続先のファイバとその波長チャネルを交換して前者をリンク＃３−４のλ３チャネル、後者をリンク＃２−４のλ１チャネルとする（Ｓ１０−４４）。更に終点ノード（ノード＃４）は、中継ノード（ノード＃３）に向け「帯域解放要求（インチャネル制御信号）」を発出する（Ｓ１０−５１）。
【手続補正１９】
【補正対象書類名】明細書
【補正対象項目名】００４２
【補正方法】変更
【補正の内容】
【００４２】
中継ノード（ノード＃３）は、波長可変中継器５０で「帯域解放要求」を受信する（Ｓ１０−８１）。監視制御部１００は、終点ノード（ノード＃４）に向けて「帯域解放要求」を転送する（Ｓ１０−８２）。監視制御部１００は、解放する内容を図１５の情報テーブル（Ｔ３−１）の出力欄より求めると（Ｓ１０−８３）、光スイッチ１０のクロスコネクトを設定中の値（ＸＣ３−２１）を解放し（Ｓ１０−８４）、波長可変中継器５０の波長の設定値（λ２）を解放する（Ｓ１０−８５、Ｃ３−１１）。